(57)【要約】      （修正有）【課題】机、テーブル、床面等のような照射面の均斉度を向上するＬＥＤ照明装置を提供する。【解決手段】複数のＬＥＤを列状に配置したＬＥＤ発光部１１０と、ＬＥＤ電流を制御する制御部１２０を有する。複数のＬＥＤは、複数のグループに分割され、グループごとに供給する電流を制御する。ＬＥＤ発光部１１０の中央部より端部の光束が増加するように各ＬＥＤに供給する電流を制御することによってＬＥＤ発光部１１０の長手方向の照射面の均斉度を向上させる。【選択図】図３
2016085929.tif 000002
【特許請求の範囲】
【請求項１】
複数のＬＥＤを列状に配置したＬＥＤ発光部と、
前記ＬＥＤ発光部の中央部より端部の光束が増加するように各ＬＥＤに供給する電流を制御する制御部と、を有し、
前記ＬＥＤ発光部の長手方向の照射面の均斉度を向上させることを特徴とするＬＥＤ照明装置。
【請求項２】
前記複数のＬＥＤは、等間隔で配置されていることを特徴とする請求項１に記載のＬＥＤ照明装置。
【請求項３】
前記複数のＬＥＤは、前記ＬＥＤ発光部の中央部に位置するＬＥＤの実装間隔よりも端部に位置するＬＥＤの実装間隔の方が小さくなるように配置されていることを特徴とする請求項１に記載のＬＥＤ照明装置。
【請求項４】
前記複数のＬＥＤは、複数のグループに分割され、前記制御部は、グループごとに供給する電流を制御することを特徴とする請求項１または２に記載のＬＥＤ照明装置。
【請求項５】
前記複数のＬＥＤは、実装間隔が異なるＬＥＤごとに複数のグループに分割され、前記制御部は、グループごとに供給する電流を制御することを特徴とする請求項１または３に記載のＬＥＤ照明装置。
【請求項６】
前記ＬＥＤ発光部は、前記複数のＬＥＤが放射する光を前記ＬＥＤ発光部の長手方向または前記長手方向に対して交差する方向のいずれか又は双方に拡散又は集光させる配光レンズを備え、前記照射面の均斉度を向上させることを特徴とする請求項１から５のいずれかに記載のＬＥＤ照明装置。
【発明の詳細な説明】
【技術分野】
【０００１】
本発明は、照射面の均斉度を向上させたＬＥＤ照明装置に関する。
【背景技術】
【０００２】
近年のＬＥＤの急速な普及により、白熱電球や蛍光灯に代えてＬＥＤ照明装置が用いられるようになってきている。
【０００３】
ＬＥＤは非常に小さな点光源であり、通常は光の広がり角が大きいため、放射状に光が放射される。このため、ＬＥＤの真下の照射面は非常に明るいが、真下から横にずれるにしたがって、照射面の明るさは急激に低下する。
【０００４】
したがって、通常、ＬＥＤ照明装置は、インテリア照明として用いると、様々な光空間を演出できる。一方、一般的な照明のように、テーブル、床などの平坦な部分を均一に照らそうとすると、特別な工夫を凝らす必要がある。
【０００５】
このため、下記特許文献１では、光源ユニットからの拡散光束を照明領域の幅方向について照明領域幅に応じた角度領域に集光することにより、照明領域の長手方向に拡がる扇形の集光光束を出射するサブレンズと、このサブレンズで集光された集光光束を全体として照明領域へ向けて出射するとともに、その一部を長手方向に沿って屈折させて照明領域内の遠端領域の方向へ出射するメインレンズとを備え、十分な輝度と良好な輝度均斉度で効率よく照明する照明工学系が開示されている。
【０００６】
また、下記特許文献２では、媒質部の入射面を、発光素子の光軸とのなす角度がゼロより大きく且つ２分のπ未満の所定の角度範囲に入射する光を光軸から離れる向きに屈折させる形状に形成し、その出射面を、発光素子の光軸と交わる点を含む領域に設けられて発光素子に近付く向き(下向き)に凹んだ凹曲面からなる第１出射面と、領域の外側に設けられる曲面形状の第２出射面とに分け、出射面は、第１屈折角θ１に対する第２屈折角θ２の比θ２／θ１が１よりも大きくなり(θ２／θ１＞１)、且つ第１屈折角θ１が増加するにつれて前記比が一旦増大した後、徐々に前記比が減少するような変化を生じさせる形状に形成し、発光面における輝度の均斉度の向上を図る照明器具が開示されている。
【先行技術文献】
【特許文献】
【０００７】
【特許文献１】特開２００９−９９４９３号公報
【特許文献２】特開２０１４−１２０２８９号公報
【発明の概要】
【発明が解決しようとする課題】
【０００８】
引用文献１および引用文献２に開示されている発明は、レンズの原理を用いて、ＬＥＤから出射される光が照射面に対してできるだけ垂直になおかつ広い範囲に照射されるようにしている。
【０００９】
しかし、デスクライトや直管型蛍光灯のように、発光面が縦長の照明装置では、引用文献１および引用文献２に記載されている発明を応用したとしても、机、テーブル、床面等のような平坦面を均一に照らすことは困難である。
【００１０】
本発明は、上記のような従来の問題点を解決するために成されたものであり、机、テーブル、床面等のような照射面の均斉度を向上させたＬＥＤ照明装置の提供を目的とする。
【課題を解決するための手段】
【００１１】
上記目的を達成するための本発明に係るＬＥＤ照明装置は、ＬＥＤ発光部と制御部とを有する。
【００１２】
ＬＥＤ発光部には複数のＬＥＤが列状に配置されている。制御部は、ＬＥＤ発光部の中央部よりも端部の光束が増加するように各ＬＥＤに供給する電流を制御する。これにより、ＬＥＤ発光部の長手方向の照射面の均斉度を均一化する。
【発明の効果】
【００１３】
以上のような構成を有する、本発明に係るＬＥＤ照明装置によれば、ＬＥＤ発光部の中央部よりも端部の方が明るくなるようにしたので、発光面が縦長の照明装置であっても、机、テーブル、床面等のような照射面の均斉度を向上させることができる。
【図面の簡単な説明】
【００１４】
【図１】実施形態１にかかるＬＥＤ照明装置の外観図である。
【図２】実施形態１にかかるＬＥＤ照明装置のＬＥＤ発光部の詳細図である。
【図３】実施形態１にかかるＬＥＤ照明装置の制御部のブロック図である。
【図４】実施形態１にかかるＬＥＤ照明装置の第１測定例を示す図である。
【図５】第１測定例の測定結果を示す図である。
【図６】実施形態１にかかるＬＥＤ照明装置の第２測定例を示す図である。
【図７】第２測定例の測定結果を示す図である。
【図８】実施形態２にかかるＬＥＤ照明装置のＬＥＤ発光部の詳細図である。
【図９】実施形態１および２にかかるＬＥＤ照明装置の配光状態の説明図である。
【図１０】実施形態１および２にかかるＬＥＤ照明装置に配光レンズを取り付けた、実施形態３に係るＬＥＤ照明装置の配光状態の説明図である。
【発明を実施するための形態】
【００１５】
以下、図面を参照しながら、本発明にかかるＬＥＤ照明装置を、［実施形態１］から［実施形態３］に分けて詳細に説明する。
【００１６】
［実施形態１］
（ＬＥＤ照明装置の構成）
［全体の構成］
図１は、実施形態１にかかるＬＥＤ照明装置の外観図である。図１に示すように、実施形態１に係るＬＥＤ照明装置１００は、ＬＥＤ発光部１１０、立ち上がり部１１５及び基部１３０を有する。
【００１７】
ＬＥＤ照明装置１００は、ＬＥＤ発光部１１０の長手方向の長さがテーブル１３５の横方向の長さの６０％程度の長さを有している。なお、テーブル１３５の横方向の長さに対するＬＥＤ発光部１１０の長手方向の長さの比は、前述のような６０％程度には限られない。照射面の均斉度を向上させるためには、５０％以上の長さを有していればよい。この長さの比は大きくすればするほど照射面の均斉度がより向上する。
【００１８】
ＬＥＤ照明装置１００には、複数のＬＥＤが列状に配置されている。基部１３０内には、ＬＥＤ電流を制御する制御部（後述する）が内蔵されている。制御部は、ＬＥＤ発光部１１０の中央部より端部の光束が増加するように各ＬＥＤに供給する電流を制御する。
【００１９】
［ＬＥＤ発光部の構成］
図２は、実施形態１にかかるＬＥＤ照明装置のＬＥＤ発光部の詳細図である。
【００２０】
図２に示すように、ＬＥＤ発光部１１０は、複数のＬＥＤ１４５が等間隔で直線状に配置されている。具体的には、基板に取り付けられた８０個のＬＥＤ１４５が等間隔で直線状に配置されている。なお、実施形態１ではＬＥＤ発光部１１０に８０個のＬＥＤ１４５を配置しているが、ＬＥＤ１４５の個数は、これに限らず、８０個より少なくとも良いし、多くとも良い。
【００２１】
８０個のＬＥＤ１４５は、１０個ずつ８つのグループに分割されている。また、ＬＥＤ発光部１１０は、図２に示すように、ＬＥＤ発光部１１０の長手方向にセクション１、セクション２、…、セクション８という８つのセクションに分けられている。それぞれのセクションには各グループに分割されたＬＥＤ１４５が配置される。
【００２２】
具体的には、第１グループの１０個のＬＥＤ１４５はセクション１に配置され、第２グループの１０個のＬＥＤ１４５はセクション２に配置される。同様に、第３グループの１０個のＬＥＤ１４５から第８グループの１０個のＬＥＤ１４５は、セクション３からセクション８に配置される。
【００２３】
なお、実施形態１では、ＬＥＤ１４５を１０個ずつ８つのグループに分割しているが、その分割数は８つには限られない。たとえば、ＬＥＤ１４５を２０個ずつ４つのグループに分割しても良いし、ＬＥＤ１４５を５個ずつ１６のグループに分割しても良い。また、同一数のＬＥＤ１４５をそれぞれのグループに分割するのではなく、異なる数のＬＥＤ１４５をそれぞれのグループに分割するようにしても良い。概念的には、１つ１つのＬＥＤ１４５をグループに分割することもできる。つまり、上述の例では、８０個のＬＥＤ１４５を８０のグループに分割することもできる。
【００２４】
ＬＥＤ発光部１１０には、グループの数に応じた数のセクションが設けられる。後述する制御部は、セクションごとにＬＥＤ１４５に供給する電流を制御するからである。グループの数は多ければ多いほど照射面の均斉度が向上する。
【００２５】
実施形態１の場合、テーブル１３５上の照射面の均斉度を向上させるためには、好ましくは、少なくともＬＥＤ１４５を３つ以上のグループに分割し、３つ以上のセクションに配置することが望まれる。しかし、均斉度が少しでも向上すれば良いのであれば、ＬＥＤ１４５を２つのグループに分割し、２つのセクションに配置するようにしても良い。
【００２６】
制御部は、ＬＥＤ１４５のグループごとに、換言すれば、セクションごとに、ＬＥＤ１４５に供給する電流を制御する。
【００２７】
実施形態１の場合、制御部は、ＬＥＤ発光部１１０の中央部に位置するセクション４、５のＬＥＤ１４５には電流を少なめに供給するようにして光束を抑える。また、ＬＥＤ発光部１１０の端部に向かうセクション２、３およびセクション６、７はセクション４、５のＬＥＤ１４５よりも大きな電流を供給するようにして、セクション４、５のＬＥＤ１４５よりも光束を増加させる。さらに、ＬＥＤ発光部１１０の端部のセクション１、８は、セクションセクション２、３およびセクション６、７のＬＥＤ１４５よりもさらに大きな電流を供給するようにして、セクションセクション２、３およびセクション６、７のＬＥＤ１４５よりも光束を増加させる。
【００２８】
したがって、ＬＥＤ発光部１１０は、その中央部の光束が小さく、端部に向かうにしたがって光束が大きくなる。このように、中央部から端部に向けて光束を大きくすると、ＬＥＤ発光部１１０の長手方向の照射面の均斉度を向上させることができる。
【００２９】
なお、上述のように、ＬＥＤ１４５を２つのグループに分割する場合には、ＬＥＤ発光部１１０の端部に位置するグループのＬＥＤの光束を他のグループのＬＥＤの光速よりも大きくする。このように、２つのグループであっても、中央部よりも端部の光束を大きくすることによって、ＬＥＤ発光部１１０の長手方向の照射面の均斉度を向上させることができる。
【００３０】
［制御部の構成］
図３は、実施形態１にかかるＬＥＤ照明装置１００の制御部のブロック図である。
【００３１】
制御部１２０は、セクション１電流制御部１２４−１、…、セクション８電流制御部１２４−８およびＬＥＤ電源１２６を有する。
【００３２】
実施形態１にかかるＬＥＤ発光部１１０のＬＥＤ１４５は８つのグループに分割され、各グループは８つのセクションに配置されている。このため、セクション１電流制御部１２４−１からセクション８電流制御部１２４−８まで、各セクションに対応させて８つの電流制御部を設けている。セクション１電流制御部１２４−１はセクション１に配置されている１０個のＬＥＤ１４５に供給する電流を制御する。同様に、セクション２電流制御部からセクション８電流制御部１２４−８は、セクション２からセクション８に配置されている、それぞれの１０個のＬＥＤ１４５に供給する電流を制御する。
【００３３】
具体的には、セクション１電流制御部１２４−１とセクション８電流制御部１２４−８はセクション１およびセクション８に位置するＬＥＤ１４５に他のセクションよりも大きな電流を供給する。
【００３４】
また、セクション２電流制御部、セクション３電流制御部、セクション６電流制御部、セクション７電流制御部は、セクション２、３、６、７に位置するＬＥＤ１４５に、セクション１電流制御部１２４−１とセクション８電流制御部１２４−８が供給する電流よりも小さな電流を供給する。
【００３５】
さらに、セクション４電流制御部とセクション５電流制御部は、セクション４およびセクション５に位置するＬＥＤ１４５に、セクション２電流制御部、セクション３電流制御部、セクション６電流制御部、セクション７電流制御部が供給する電流よりも小さな電流を供給する。
【００３６】
各セクションの電流制御部がこのような電流制御を行うと、図２に示す、セクション１と８が最も明るくなり、セクション２、３、６、７がセクション１と８よりも少し暗くなり、セクション４、５が最も暗くなる。このように、ＬＥＤ発光部１１０の長手方向の明るさを場所に応じて変えることによって、発光面が縦長の照明装置であっても、机、テーブル、床面等のような照射面の均斉度を向上させることができる。
【００３７】
なお、以上の実施形態では、ＬＥＤ発光部１１０のＬＥＤ１４５が８つのセクションに分割されている場合について述べたが、上記のように３つまたは２つのセクションに分割されている場合には、セクション電流制御部は３つまたは２つ設ければ良い。
【００３８】
また、上記のように８つのセクションに分割されている場合でも、中央部を基準に左右対称に電流の大きさが制御されているので、セクション１、８の電流を１つの電流制御部で制御し、セクション２、３、６、７を１つの電流制御部で制御し、セクション４、５を１つの電流制御部で制御するようにしても良い。
【００３９】
（ＬＥＤ照明装置の動作）
（測定例）
次に、実施形態１に係るＬＥＤ照明装置１００の動作を、２つの測定例を例示して説明する。
【００４０】
（第１測定例）
図４は、実施形態１にかかるＬＥＤ照明装置１００の第１測定例を示す図である。第１測定例では、ＬＥＤ発光部１１０に配置するＬＥＤ１４５の個数を９０個とし、ＬＥＤ１４５を１０個ずつ９つのグループに分け、それぞれのグループのＬＥＤ１４５をセクション１から９に配置している。
【００４１】
図４に示すように、ＬＥＤ発光部１１０の長さは４１０ｍｍ、立ち上がり部１１５の高さは７４０ｍｍ、テーブル１３５の横の長さは１２００ｍｍ、縦の長さは７１０ｍｍである。テーブル１３５は、一般的な事務机サイズである。
【００４２】
図５は、第１測定例の測定結果を示す図である。図５（Ａ）は、ＬＥＤ発光部１１０の９セクションの明るさの分布を示す。図５（Ｂ）は、図５のＡからＩの照度測定ポイントにおける照度（ルクス）を示す。図５（Ｃ）は、ＬＥＤ発光部１１０の長手方向の照度測定ポイントにおける均斉度を示す。図５（Ｄ）は、机全体における均斉度を示す。
【００４３】
第１測定例では、図５（Ａ）に示す通り、９セクションの明るさの分布として系列１から系列３まで３通りの分布を設定している。系列１では、全てのセクションの明るさを２とした。系列２では、セクション１、２、８、９の４つのセクションの明るさを３とし、セクション３、４、６、７の４つのセクションの明るさを２とし、中央部のセクション５の明るさを１とした。系列３では、セクション１、２、８、９の４つのセクションの明るさを３とし、セクション３、４、５、６、７の５つのセクションの明るさを１とした（なお、明るさは数値が大きいほど明るい）。
【００４４】
図４に示すように、それぞれの系列において、テーブ上のＡ、Ｂ、Ｃ、Ｄ、Ｅ、Ｆ、Ｇ、Ｈ、Ｉの各照度測定ポイントにおける照度を調べた。その結果は、図５（Ｂ）に示すような分布となった。
【００４５】
すなわち、系列１のように、全てのセクションの明るさを同一の２とした場合には、図５（Ｂ）に示すように、中央部のＥの照度測定ポイントが最も明るくなり、Ｄ、Ｆの照度測定ポイント、Ｃ、Ｇの照度測定ポイントの順に明るさが落ち、Ｂ、Ｈの照度測定ポイントが、Ｄ、Ｆの照度測定ポイントよりも明るくなり、Ａ、Ｉの照度測定ポイントがＣ、Ｇの照度測定ポイント程度に明るくなる。
【００４６】
照度測定ポイントＡ―Ｂ―Ｃ方向の一番明るい照度測定ポイントの照度に対する一番暗い照度測定ポイントの照度の比、即ち、ＬＥＤ発光部１１０の長手方向の均斉度を求めると、図５（Ｃ）の系列１に示すように０．５１６となった。また、照度測定ポイントＤ―Ｅ―Ｆ方向のＬＥＤ発光部１１０の長手方向の均斉度は０．４４となった。さらに、照度測定ポイントＧ―Ｈ―Ｉ方向のＬＥＤ発光部１１０の長手方向の均斉度は０．４５７となった。
【００４７】
次に、系列２のように、セクション１、２、８、９の４つのセクションの明るさを３とし、セクション３、４、６、７の４つのセクションの明るさを２とし、中央部のセクション５の明るさを１とした場合には、図５（Ｂ）に示すように、中央部のＥの照度測定ポイントが最も明るくなり、Ｄ、Ｆの照度測定ポイント、Ｃ、Ｇの照度測定ポイントの順に明るさが落ち、Ｂ、Ｈの照度測定ポイントが、Ｄ、Ｆの照度測定ポイントよりも明るくなり、Ａ、Ｉの照度測定ポイントがＣ、Ｇの照度測定ポイント程度に明るくなる。
【００４８】
照度測定ポイントＡ―Ｂ―Ｃ方向のＬＥＤ発光部１１０の長手方向の均斉度を求めると、図５（Ｃ）の系列２に示すように０．５２４となった。また、照度測定ポイントＤ―Ｅ―Ｆ方向のＬＥＤ発光部１１０の長手方向の均斉度は０．５３となった。さらに、照度測定ポイントＧ―Ｈ―Ｉ方向のＬＥＤ発光部１１０の長手方向の均斉度は０．５５７となった。
【００４９】
次に、系列３のように、セクション１、２、８、９の４つのセクションの明るさを３とし、セクション３、４、５、６、７の５つのセクションの明るさを１とした場合には、図５（Ｂ）に示すように、中央部のＥの照度測定ポイントが最も明るくなり、Ｄ、Ｆの照度測定ポイント、Ｃ、Ｇの照度測定ポイントの順に明るさが落ち、Ｂ、Ｈの照度測定ポイントが、Ｄ、Ｆの照度測定ポイントよりも明るくなり、Ａ、Ｉの照度測定ポイントがＣ、Ｇの照度測定ポイント程度に明るくなる。
【００５０】
照度測定ポイントＡ―Ｂ―Ｃ方向のＬＥＤ発光部１１０の長手方向の均斉度を求めると、図５（Ｃ）の系列３に示すように０．５３１となった。また、照度測定ポイントＤ―Ｅ―Ｆ方向のＬＥＤ発光部１１０の長手方向の均斉度は０．５１となった。さらに、照度測定ポイントＧ―Ｈ―Ｉ方向のＬＥＤ発光部１１０の長手方向の均斉度は０．６１となった。
【００５１】
系列１から系列３における照度測定ポイントＡ―Ｂ―Ｃ方向、Ｄ―Ｅ―Ｆ方向及びＧ―Ｈ―Ｉ方向の均斉度を総合的に比較すると、系列１よりも系列２、３の方が、均斉度が向上していることがわかる。
【００５２】
また、系列１から系列３における机全体の均斉度を見ると、図５（Ｄ）に示すように、照度測定ポイントＡ―Ｂ―Ｃ方向、Ｄ―Ｅ―Ｆ方向、Ｇ―Ｈ―Ｉ方向のいずれもほぼ同一の数値となっている。
【００５３】
このように、ＬＥＤ発光部１１０の長手方向の均斉度は電流値を制御することで向上することが確認できるが、この測定実験では、長手方向と交差する方向の均斉度を向上させるレンズを使用していないため、机全体の均斉度を見ると、系列１、２、３で大きな向上は見られない。
【００５４】
（第２測定例）
図５は、実施形態１にかかるＬＥＤ照明装置１００の第２測定例を示す図である。第２測定例では、ＬＥＤ発光部１１０に配置するＬＥＤ１４５の個数を１３０個とし、ＬＥＤ１４５を１０個ずつ１３のグループに分け、それぞれのグループのＬＥＤ１４５をセクション１から１３に配置している。
【００５５】
図５に示すように、ＬＥＤ発光部１１０の長さは７００ｍｍ、立ち上がり部１１５の高さは７４０ｍｍ、テーブル１３５の横の長さは１２００ｍｍ、縦の長さは７１０ｍｍである。テーブル１３５は、一般的な事務机サイズである。
【００５６】
図７は、第２測定例の測定結果を示す図である。図７（Ａ）は、ＬＥＤ発光部１１０の１３セクションの明るさの分布を示す。図７（Ｂ）は、図６のＡからＩの照度測定ポイントにおける照度を示す。図７（Ｃ）は、ＬＥＤ発光部１１０の長手方向の照度測定ポイントにおける均斉度を示す。図７（Ｄ）は、机全体における均斉度を示す。
【００５７】
第２測定例では、図７（Ａ）に示す通り、１３セクションの明るさの分布として系列１から系列３まで３通りの分布を設定している。系列１では、全てのセクションの明るさを２とした。系列２では、セクション１、２、１２、１３の４つのセクションの明るさを３とし、セクション３、４、１０、１１の４つのセクションの明るさを２とし、中央部のセクション５、６、７、８、９の５つのセクションの明るさを１とした。系列３では、セクション１、２、１２、１３の４つのセクションの明るさを３とし、セクション３から１０の８つのセクションの明るさを１とした。
【００５８】
図６に示すように、それぞれの系列において、テーブ上のＡ、Ｂ、Ｃ、Ｄ、Ｅ、Ｆ、Ｇ、Ｈ、Ｉの照度測定ポイントの照度を調べた。その結果は、図７（Ｂ）に示すような分布となった。
【００５９】
すなわち、系列１のように、全てのセクションの明るさを同一の２とした場合には、図７（Ｂ）に示すように、中央部のＥの照度測定ポイントが最も明るくなり、Ｄ、Ｆの照度測定ポイント、Ｃ、Ｇの照度測定ポイントの順に明るさが落ち、Ｂ、Ｈの照度測定ポイントが、Ｄ、Ｆの照度測定ポイント程度に明るくなり、Ａ、Ｉの照度測定ポイントがＣ、Ｇの照度測定ポイント程度に明るくなる。
【００６０】
照度測定ポイントＡ―Ｂ―Ｃ方向の一番明るい照度測定ポイントの照度に対する一番暗い照度測定ポイントの照度の比、即ち、ＬＥＤ発光部１１０の長手方向の均斉度を求めると、図７（Ｃ）の系列１に示すように０．５３８となった。また、照度測定ポイントＤ―Ｅ―Ｆ方向のＬＥＤ発光部１１０の長手方向の均斉度は０．５４２となった。さらに、照度測定ポイントＧ―Ｈ―Ｉ方向のＬＥＤ発光部１１０の長手方向の均斉度は０．６０４となった。
【００６１】
次に、系列２のように、セクション１、２、１２、１３の４つのセクションの明るさを３とし、セクション３、４、１０、１１の４つのセクションの明るさを２とし、中央部のセクション５、６、７、８、９の５つのセクションの明るさを１とした場合には、図７（Ｂ）に示すように、中央部のＥの照度測定ポイントが最も明るくなり、Ｄ、Ｆの照度測定ポイント、Ｃ、Ｇの照度測定ポイントの順に明るさが落ち、Ｂ、Ｈの照度測定ポイントが、Ｄ、Ｆの照度測定ポイント程度に明るくなり、Ａ、Ｉの照度測定ポイントがＣ、Ｇの照度測定ポイント程度に明るくなる。
【００６２】
照度測定ポイントＡ―Ｂ―Ｃ方向のＬＥＤ発光部１１０の長手方向の均斉度を求めると、図７（Ｃ）の系列２に示すように０．６５となった。また、照度測定ポイントＤ―Ｅ―Ｆ方向のＬＥＤ発光部１１０の長手方向の均斉度は０．６５６となった。さらに、照度測定ポイントＧ―Ｈ―Ｉ方向のＬＥＤ発光部１１０の長手方向の均斉度は０．７０４となった。
【００６３】
次に、系列３のように、セクション１、２、１２、１３の４つのセクションの明るさを３とし、セクション３から１１の９つのセクションの明るさを１とした場合には、図７（Ｂ）に示すように、中央部のＥの照度測定ポイントが最も明るくなり、Ｄ、Ｆの照度測定ポイント、Ｃ、Ｇの照度測定ポイントの順に明るさが落ち、Ｂ、Ｈの照度測定ポイントが、Ｄ、Ｆの照度測定ポイント程度に明るくなり、Ａ、Ｉの照度測定ポイントがＣ、Ｇの照度測定ポイント程度に明るくなる。
【００６４】
照度測定ポイントＡ―Ｂ―Ｃ方向のＬＥＤ発光部１１０の長手方向の均斉度を求めると、図７（Ｃ）の系列３に示すように０．６８３となった。また、照度測定ポイントＤ―Ｅ―Ｆ方向のＬＥＤ発光部１１０の長手方向の均斉度は０．６９４となった。さらに、照度測定ポイントＧ―Ｈ―Ｉ方向のＬＥＤ発光部１１０の長手方向の均斉度は０．７６３となった。
【００６５】
系列１から系列３における照度測定ポイントＡ―Ｂ―Ｃ方向、Ｄ―Ｅ―Ｆ方向及びＧ―Ｈ―Ｉ方向の均斉度を総合的に比較すると、系列１に比べ系列２、３の場合の横方向の均斉度の数値は高いものになっている。
【００６６】
また、系列１から系列３における机全体の均斉度を見ると、図７（Ｄ）に示すように、照度測定ポイントＡ―Ｂ―Ｃ方向、Ｄ―Ｅ―Ｆ方向、Ｇ―Ｈ―Ｉ方向の均斉度の数値が、系列１よりも系列２の方が、系列２よりも系列３の方がそれぞれ大きくなっている。
【００６７】
このように、ＬＥＤ発光部１１０の長手方向の均斉度は電流値を制御することで向上することが確認できるが、この測定実験では、長手方向と交差する方向の均斉度を向上させるレンズを使用していないため、机全体の均斉度を見ると、系列１に比べ、系列２、３の均斉度は向上しているが、長手方向に限った均斉度の向上はより少ない数値になっている。
【００６８】
第１測定例と第２測定例とを比較すると、第２測定例の方が、ＬＥＤ発光部１１０の長手方向の均斉度の数値が大きくなっていることがわかる。したがって、ＬＥＤ発光部１１０の長さを長くした方が照度面の均斉度をより向上させることができることがわかる。
【００６９】
以上のように、実施形態１では、等間隔に配置した複数のＬＥＤ１４５を複数のグループに分割し、各グループに供給する電流の大きさを制御し、ＬＥＤ発光部１１０の中央部よりも端部の方が明るくなるようにした。この制御によって、机、テーブル、床面等のような照射面の横方向（図１参照）の均斉度を向上させている。
【００７０】
［実施形態２］
実施形態２に係るＬＥＤ照明装置１００は、ＬＥＤ発光部１１０のＬＥＤ１４５の配置状態が実施形態１のＬＥＤ１４５の配置状態とは異なる。実施形態１ではＬＥＤ１４５の実装間隔が全てのセクションにおいて均等であったが、実施形態２のＬＥＤ１４５の実装間隔はセクションごとに不均等である。
【００７１】
図８は、実施形態２にかかるＬＥＤ照明装置のＬＥＤ発光部の詳細図である。
【００７２】
図８に示すように、ＬＥＤ発光部１１０は、複数のＬＥＤ１４５がセクションごとに不均等な実装間隔で直線状に配置されている。具体的には、基板に取り付けられた４８個のＬＥＤ１４５が８個ずつ６つのセクションに分割され、ＬＥＤ発光部１１０の中央部のセクションに位置するＬＥＤの実装間隔よりも端部のセクションに位置するＬＥＤの実装間隔の方が小さくなるように配置されている。なお、実施形態１ではＬＥＤ発光部１１０に４８個のＬＥＤ１４５を配置しているが、ＬＥＤ１４５の個数は、これに限らず、４８個より少なくとも良いし、多くとも良い。
【００７３】
６４個のＬＥＤ１４５は、８個ずつ６つのグループに分割されている。また、ＬＥＤ発光部１１０は、図８に示すように、ＬＥＤ発光部１１０の長手方向にセクション１、セクション２、…、セクション６という６つのセクションに分けられている。それぞれのセクションには各グループに分割されたＬＥＤ１４５が配置される。
【００７４】
図８に示すように、セクション１と６に配置されるＬＥＤ１４５の実装間隔は、他のセクションよりも最も小さくなっている。また、セクション３と４に配置されるＬＥＤ１４５の実装間隔は、他のセクションよりも最も大きくなっている。さらにセクション２と５に配置されるＬＥＤ１４５の実装間隔は、セクション１、２の中間の実装間隔になっている。
【００７５】
このようにＬＥＤ１４５を配置したＬＥＤ発光部１１０に制御部から全てのＬＥＤ１４５に対して同一の大きさの電流が供給される。このため、実施形態１と同様に、ＬＥＤ発光部１１０の中央部よりも端部の方が明るくなる。
【００７６】
したがって、実施形態２に係るＬＥＤ照明装置１００も実施形態１に係るＬＤＥ照明装置１００と同様に、ＬＥＤ発光部１１０の長手方向の均斉度を向上させることができる。なお、制御部２００の基本的な構成は実施形態１と同一である。
【００７７】
なお、実施形態２では、全てのＬＥＤ１４５に同一の大きさの電流を供給したが、均斉度を向上させるために、実施形態１と同様に、セクションごとに供給する電流を制御しても良い。
【００７８】
［実施形態３］
実施形態３に係るＬＥＤ制御装置１００は、実施形態１および実施形態２のＬＥＤ発光部１１０に、ＬＥＤ１４５が放射する光をＬＥＤ発光部１１０の長手方向または長手方向に対して交差する方向のいずれか又は双方に拡散又は集光させる配光レンズ１４０（図８参照）を備えさせ、照射面の均斉度を向上させたものである。
【００７９】
配光レンズ１４０は、図８に示すように、ＬＥＤ発光部１１０の長手方向に沿って縦長な形状を有し、全てのＬＥＤ１４５を覆うように設けられる。配光レンズ１４０はＬＥＤ１４５が放射する光をＬＥＤ発光部１１０の長手方向または長手方向に対して交差する方向のいずれか又は双方に拡散又は集光させる。
【００８０】
図９は、実施形態１および２にかかるＬＥＤ照明装置１００の配光状態の説明図である。図１０は、実施形態１および２にかかるＬＥＤ照明装置１００に配光レンズを取り付けた、実施形態３に係るＬＥＤ照明装置１００の配光状態の説明図である。
【００８１】
実施形態１および２にかかるＬＥＤ照明装置１００のように、配光レンズ１４０が設けられていない場合は、ＬＥＤ１４５の配光は、図９（Ａ）、（Ｂ）に示すように、ＬＥＤ発光部１１０の真下に放射状となる。このため、照射面は、図９（Ａ）に示すように、ＬＥＤ発光部１１０の中央部は明るく、両端は暗くなる。また、図９（Ｂ）に示すように、ＬＥＤ発光部１１０から照射される多くの光が照射面から漏れてしまう。
【００８２】
しかし、実施形態３に係るＬＥＤ照明装置１００のように、配光レンズ１４０が設けられている場合は、ＬＥＤ１４５の長手方向および長手方向に交差する方向に広がる配光が制御される。特に、図１０（Ａ）に示すように、配光レンズ１４０による光の照射角度を、ＬＥＤ発光部１１０の中央部から端部に向けて小さくなるようにしている（１１０°→６０°→３０°）ので、図９（Ｂ）に示すように、ＬＥＤ１４５の長手方向において、照射面から漏れてしまう光束を少なくできる。このため、机の照射面はどの部分も明るさがほぼ均一となる。
【００８３】
なお、配光レンズ１４０は、中央部には設けずに端部にのみ設けても良いし、各ＬＥＤ１４５に対して個別に設けても良い。
【００８４】
以上の実施形態は、本発明の思想を具体的に説明するために例示したものであり、本発明はその実施形態に限定されるものではない。
【符号の説明】
【００８５】
１００  ＬＥＤ照明装置、
１１０  ＬＥＤ発光部、
１２０  制御部、
１２４−１  セクション１電流制御部、
１２４−８  セクション８電流制御部、
１２６  ＬＥＤ電源、
１３０  基部、
１３５  テーブル
１４０  配光レンズ、
１４５  ＬＥＤ。
【図１】
2016085929.tif 000003
【図２】
2016085929.tif 000004
【図３】
2016085929.tif 000005
【図４】
2016085929.tif 000006
【図５】
2016085929.tif 000007
【図６】
2016085929.tif 000008
【図７】
2016085929.tif 000009
【図８】
2016085929.tif 000010
【図９】
2016085929.tif 000011
【図１０】
2016085929.tif 000012